(57)【要約】【課題】    ＲＦ回路の接続を簡易化して接続誤りの発生を抑制することのできる選局装置を提供する。【解決手段】  ＴＶ信号を伝送する信号線毎に備えた複数のＲＦ入力端子２１，２２と、前記信号線を介して伝送されるＴＶ信号の変調方式にそれぞれ対応して構成された複数のチューナ１２，１３，１４と、前記複数のＲＦ入力端子と複数のチューナとを選択して接続するＲＦスイッチ１１と、伝送されるＴＶ信号の変調方式を表す信号を前記ＴＶ信号に多重化して送信されたパイロット信号を検出するパイロット信号検出部２０を備え、パイロット信号検出部が検出したパイロット信号をもとにＲＦスイッチを切り換えて、ＲＦ入力端子をその入力信号に対応したチューナに接続する。【選択図】  図１
2006109064.tif 000002
【特許請求の範囲】
【請求項１】
放送信号を伝送する信号線毎に備えた複数の放送信号入力端子と、
前記信号線を介して伝送される放送信号の変調方式にそれぞれ対応して構成された複数の受信部と、
前記複数の放送信号入力端子と複数の受信部とを選択して接続する放送信号切り換え部と、
放送信号に多重化されて前記信号線を伝送する放送信号の変調方式を表すパイロット信号を検出するパイロット信号検出部を備え、
パイロット信号検出部は、検出したパイロット信号をもとに放送信号切り換え部を切り換えて、放送信号入力端子をその入力信号に対応した受信部に接続することを特徴とする選局装置。
【請求項２】
請求項１記載の選局装置において、
パイロット信号検出部は、検出したパイロット信号およびユーザが入力した選局情報をもとに放送信号切り換え部を切り換えて、選局した放送に対応した放送信号入力端子を、選局した放送に対応した受信部に接続することを特徴とする選局装置。
【請求項３】
請求項１記載の選局装置において、
パイロット信号は、放送信号を伝送する放送局において放送信号に多重化することを特徴とする選局装置。
【請求項４】
請求項１記載の選局装置において、
パイロット信号は、放送信号を共同で受信する共同受信設備において放送信号に多重化することを特徴とする選局装置。
【発明の詳細な説明】
【技術分野】
【０００１】
本発明は、選局装置に係り、特に放送信号を伝送する複数の信号線と複数の放送信号入力端子間での接続の簡易化を図ることのできる選局装置に関する。
【背景技術】
【０００２】
図５は、選局装置を備えた従来のＴＶ受信機を説明する図である。図において、１はＴＶ受信機、１２はアナログ放送信号を選局するチューナ、１３はＯＦＤＭ(Orthogonal Frequency Division Multiplexing)放送信号を選局するチューナ、１４はＱＡＭ(Quadrature Amplitude Modulation)放送信号を選局するチューナである。１５はアナログチューナの選局出力に復調等の処理を施すアナログ信号処理部、１６はＯＦＤＭチューナの選局出力に復調等の処理を施すＯＦＤＭ信号処理部、１７はＱＡＭチューナの選局出力に復調等の処理を施すＱＡＭ信号処理部、１８は各信号処理部の出力を表示する表示部等を備えた信号出力部である。
【０００３】
２１はＲＦ入力端子であり、この端子には、例えば地上波の放送信号であるアナログ放送信号あるいはＯＦＤＭ放送信号を受信するアンテナからの信号線Ｌ１を接続する。２２はＲＦ入力端子であり、この端子には、例えばケーブルテレビの放送信号であるアナログ放送信号あるいはＱＡＭ放送信号を受信する信号線Ｌ２を接続する。１９は受信機１全体を制御する制御部である。５１はＲＦスイッチであり、制御部１９からの選局信号に基づき信号線Ｌ１またはＬ２からの入力ＲＦ信号の何れかをアナログチューナ１２に伝達する。
【０００４】
この受信機では、地上波のＯＦＤＭ放送信号を受信する場合はＯＦＤＭチューナ１３及びＯＦＤＭ信号処理部１６を用い、ケーブルテレビの放送信号であるＱＡＭ放送信号を受信する場合はＱＡＭチューナ１４及びＱＡＭ信号処理部１７を用い、地上波の放送信号であるアナログ放送信号あるいはケーブルテレビの放送信号であるアナログ放送信号を受信する場合はＲＦスイッチを介してアナログチューナ１２及びアナログ信号処理部１５を用いることになる。
【発明の開示】
【発明が解決しようとする課題】
【０００５】
前記従来技術によれば、地上波の放送信号であるアナログ放送信号及びＯＦＤＭ放送信号、並びにケーブルテレビの放送信号であるアナログ放送信号及びＱＡＭ放送信号を受信して、視聴することはできる。しかしながら、地上波の放送信号であるアナログ放送信号あるいはＯＦＤＭ放送信号を受信するアンテナからの信号線Ｌ１はＲＦ入力端子２１に接続し、ケーブルテレビの放送信号であるアナログ放送信号あるいはＱＡＭ放送信号を受信する信号線Ｌ２はＲＦ入力端子２２にそれぞれ正しく接続しなければＯＦＤＭ放送信号及びＱＡＭ放送信号を視聴することはできない。
【０００６】
図５では、地上波の放送信号であるアナログ放送信号あるいはＯＦＤＭ放送信号を受信するアンテナからの信号線Ｌ１及びケーブルテレビの放送信号であるアナログ放送信号あるいはＱＡＭ放送信号を受信する信号線Ｌ２からなる２つの信号線が存在する場合を例に説明したが、今後、放送の経路あるいは変調方式が増加するに伴って、入力する信号線の数及びＲＦ入力端子数の増加が見込まれる。このような場合、ユーザは、どの信号線をどのＲＦ入力端子に接続すればよいかが分かり難くなる。このため、接続誤り（各信号線のＲＦ入力端子に対する挿入誤り）が増加することになる。
【０００７】
本発明はこのような問題点に鑑みてなされたもので、ＲＦ回路の接続を簡易化して接続誤りの発生を抑制することのできる選局装置を提供するものである。
【課題を解決するための手段】
【０００８】
本発明は上記課題を解決するため、次のような手段を採用した。
【０００９】
ＴＶ信号を伝送する信号線毎に備えた複数のＲＦ入力端子と、前記信号線を介して伝送されるＴＶ信号の変調方式にそれぞれ対応して構成された複数のチューナと、前記複数のＲＦ入力端子と複数のチューナとを選択して接続するＲＦスイッチと、伝送されるＴＶ信号の変調方式を表す信号を前記ＴＶ信号に多重化して送信されたパイロット信号を検出するパイロット信号検出部を備え、パイロット信号検出部が検出したパイロット信号をもとにＲＦスイッチを切り換えて、ＲＦ入力端子をその入力信号に対応したチューナに接続する。
【発明の効果】
【００１０】
本発明は、以上の構成を備えるため、ＲＦ回路の接続を簡易化して接続誤りの発生を抑制することができる。
【発明を実施するための最良の形態】
【００１１】
以下、最良の実施形態を添付図面を参照しながら説明する。図１は、本発明の実施形態に係る選局装置を説明する図である。なお、図において図５に示される部分と同一部分については同一符号を付してその説明を省略する。図１において、３１，３２はそれぞれパイロット信号付加部であり、伝搬する放送信号の種類（例えば、地上波放送信号であるかＣＡＴＶ放送信号であるか）を特定するためのパイロット信号を放送信号に付加する。
【００１２】
図の例の場合では、地上波放送の放送信号Ｃ１に該信号が地上波放送信号であることを表すパイロット信号１を付加する。なお、この場合、パイロット信号１は同時に、伝搬する放送信号の変調方式（アナログ放送及びＯＦＤＭ放送）の組み合わせを示すことになる。
【００１３】
また、ＣＡＴＶ放送の放送信号Ｃ２に該信号がＣＡＴＶ放送信号であることを表すパイロット信号２を付加する。なお、この場合、パイロット信号２は同時に、伝搬する放送信号の変調方式（アナログ放送あるいはＱＡＭ放送）の組み合わせを示すことになる。
【００１４】
２０はパイロット信号検出部であり、信号線Ｌ１及びＬ２を伝搬するパイロット信号を検出し、信号線Ｌ１及びＬ２を伝搬する放送信号の種類を特定する。１１はＲＦスイッチであり、入力端子ａ、ｂ及び出力端子ｃ，ｄ，ｅを有する。制御部１９はパイロット信号検出部２０が検出した信号をもとにＲＦスイッチ切り換えて、受信した放送信号を最適なチューナに供給する。この例の場合には入力端子ａは出力端子ｃまたはｄに接続し、入力端子ｂは出力端子ｃまたはｅに接続する。なお、このときユーザが入力した選局情報に基づき選局すべきチャンネルの変調方式が明らかな場合、例えば地上波のＯＦＤＭ信号を受信する場合には入力端子ａと出力端子ｄのみを接続してもよい。
【００１５】
このように、パイロット信号をもとに信号線Ｌ１及びＬ２を伝搬する放送信号を特定し、この特定結果をもとにＲＦスイッチを切り換えるので、信号線Ｌ１及びＬ２とＲＦ入力端子２１及び２２は任意の組み合わせで接続することが可能となる。すなわち、信号線Ｌ１，Ｌ２の挿入誤りはなくなると共に、ユーザが接続時に迷うこともなくなる。
【００１６】
図２は、放送信号にパイロット信号を放送局側で付加する処理を説明する図である。なお、図において図１、図５に示される部分と同一部分については同一符号を付してその説明を省略する。図２において、４は地上波の放送信号を送信する地上波放送局、４１はアナログ放送信号を送信するアナログ放送送信機、４２はＯＦＤＭ放送信号を送信するＯＦＤＭ放送送信機、４４はアナログ放送送信機の出力、ＯＦＤＭ放送送信機の出力、及びパイロット信号１付加部の出力であるパイロット信号１を合成する合波器であり、合波器４４の出力は地上波放送信号として送信される。
【００１７】
５はＣＡＴＶ放送局、５１はアナログ放送信号を送信するアナログ放送送信機、５２はＱＡＭ放送信号を送信するＱＡＭ放送送信機、５４はアナログ放送送信機の出力、ＱＡＭ放送送信機の出力、及びパイロット信号２付加部の出力であるパイロット信号２を合成する合波器であり、合波器５４の出力はＣＡＴＶ放送信号として送信される。
【００１８】
このように、地上波放送局４から送信する放送信号に該信号が地上波放送信号であることを表すパイロット信号１を付加して送信する。また、ＣＡＴＶ放送局４から送信する放送信号に該信号がＣＡＴＶ放送信号であることを表すパイロット信号２を付加して送信することができる。この場合、受信機１のパイロット信号検出部２０は、放送信号に含まれるパイロット信号がパイロット信号１及びパイロット信号２のいずれであるかを判定するのみで、ＲＦ入力端子に入力した放送信号の種類（地上波放送信号であるかＣＡＴＶ放送信号であるか）を判定することができる。また、変調方式の組み合わせを判定することもできる。
【００１９】
図３は、放送信号にパイロット信号を共同受信設備側で付加する処理を説明する図である。なお、図において図１，２，５に示される部分と同一部分については同一符号を付してその説明を省略する。図において４４ａは合波器であり、アナログ放送送信機の出力、およびＯＦＤＭ放送送信機の出力を合成して地上波の放送信号Ｃ１を生成する。５４ａは合波器であり、アナログ放送送信機の出力、及びＱＡＭ放送送信機の出力を合成して、ＣＡＴＶ放送の放送信号Ｃ２を形成する。
【００２０】
また、３１はパイロット信号１付加部であり、生成したパイロット信号１を放送信号Ｃ１に付加する。３２はパイロット信号２付加部であり、生成したパイロット信号２を放送信号Ｃ２に付加する。５１，５２はそれぞれ分配器であり、放送信号Ｃ１，Ｃ２を分配して各世帯の受信機１に供給する。
【００２１】
このように、パイロット信号を放送局側で放送信号Ｃ１，Ｃ２に付加して放送していない場合は、パイロット信号付加部３１，３２を例えば集合住宅６の共同受信設備側に付加して、生成したパイロット信号を放送信号Ｃ１，Ｃ２に付加するようにしてもよい。
【００２２】
この場合も、受信機１のパイロット信号検出部２０は、放送信号に含まれるパイロット信号がパイロット信号１及びパイロット信号２のいずれであるかを判定するのみで、ＲＦ入力端子に入力した放送信号の種類（地上波放送信号であるかＣＡＴＶ放送信号であるか）を判定することができる。また、変調方式の組み合わせを判定することができる。
【００２３】
図４は、パイロット信号の周波数配置の例を説明する図である。図４（ａ）は地上波の放送信号の周波数配置を説明する図であり、高域側にＯＦＤＭ放送信号を、低域側にアナログ放送信号を配置し、更にその低域側にパイロット信号１を配置する。図４（ｂ）はＣＡＴＶ放送信号の周波数配置を説明する図であり、高域側にＱＡＭ放送信号を、低域側にアナログ放送信号を配置し、更にその低域側にパイロット信号２を配置する。なお、パイロット信号１とパイロット信号２はそれぞれ異なる周波数に設定されている。
【００２４】
以上説明したように、本発明の実施形態によれば、ＴＶ信号を伝送する信号線毎に固有の周波数のパイロット信号を付加する装置を追加する。また、受信機側では、ＲＦ入力端子とチューナ部との間にパイロット信号検出装置を備え、あらかじめ設定されたパイロット信号に従って各ＲＦ入力端子に入力されたＲＦ信号を各チューナに分配する。このように異なる信号線を伝送するＲＦ信号にはそれぞれ異なる周波数のパイロット信号を付加することにより、受信機はそれぞれのＲＦ信号を最適なチューナに分配することが可能となる。これにより、ＲＦケーブルの誤挿入がなくなるとともに、ユーザが接続時に迷うこともなくなり、接続を容易に行うことができる。なお、前記制御部等の処理は、プログラムあるいはハードウエアで実現することができる。
【図面の簡単な説明】
【００２５】
【図１】本発明の実施形態に係る選局装置を説明する図である。
【図２】放送信号にパイロット信号を放送局側で付加する処理を説明する図である。
【図３】放送信号にパイロット信号を共同受信設備側で付加する処理を説明する図である。
【図４】パイロット信号の周波数配置の例を説明する図であるプラント監視制御装置を説明する図である。
【図５】選局装置を備えた従来のＴＶ受信機を説明する図である。
【符号の説明】
【００２６】
１  受信機
４  地上波放送局
５  ＣＡＴＶ放送局
１１  ＲＦスイッチ
１２  アナログチューナ
１３  ＯＦＤＭチューナ
１４  ＱＡＭチューナ
１５  アナログ信号処理部
１６  ＯＦＤＭ信号処理部
１７  ＱＡＭ信号処理部
１８  出力部
１９  制御部
２０  パイロット信号検出部
２１、２２  ＲＦ入力端子
３１  パイロット信号１付加部
３２  パイロット信号２付加部
４１、５１  アナログ放送送信機
４２  ＯＦＤＭ信号送信機
５２  ＱＡＭ信号送信機
【図１】
2006109064.tif 000003
【図２】
2006109064.tif 000004
【図３】
2006109064.tif 000005
【図４】
2006109064.tif 000006
【図５】
2006109064.tif 000007